(57)【要約】  【課題】玄米を精米機で精米した白米の表面には若干の糠層や汚れが残り、炊飯前に米研ぎする必要がある。米研ぎの作業は、研ぐ強さによって炊飯後のご飯の味を悪くしたり、研ぐ手間を敬遠する人もおり、あらかじめ糠を取り除いて研ぐ手間を省いた無洗米が出回ってきているが、従来の無洗米製造装置では、設備構成が複雑であるため設備全体が大型化し広い設置場所が要求されたり、通常洗浄した精米に比べおいしさに欠けるなどの欠点を有していた。  【解決手段】穀物が保存された貯蔵室内に対して、空気中の水分を結露させて貯蔵室にミストとして噴霧するによって、簡単な構成で貯蔵室内の余剰な水蒸気から容易に、確実に印加電極に結露させることができ、穀物の糠や汚れを簡単に洗い流したり、穀物や野菜の保鮮の向上、脱臭や穀物や野菜表面を抗菌、殺菌することができる。【選択図】図３
2010091232.tif 000002
【特許請求の範囲】
【請求項１】
断熱区画された貯蔵室と、貯蔵室内にミストを噴霧させる静電霧化装置を備え、霧化部には高電圧を発生する電圧印加部に電気的に接続させる印加電極と、前記印加電極を露点温度以下にするための冷却手段を構成し、前記印加電極に空気中の水分を結露させて貯蔵室にミストとして噴霧することによって穀物の汚れを除去することを可能とする冷蔵庫。
【請求項２】
冷蔵庫の貯蔵室を冷却するための冷却器と、前記冷却器と前記貯蔵室を断熱区画するための仕切り壁とを備え、静電霧化装置は前記仕切り壁に取り付けた請求項１に記載の冷蔵庫。
【請求項３】
貯蔵室を区画するための仕切り壁と、前記貯蔵室の天面側に低温貯蔵室が備えられ、静電霧化装置は前記低温貯蔵室の天面側の仕切り壁に取り付けた請求項１に記載の冷蔵庫。
【請求項４】
静電霧化装置の印加電極を冷却して結露させるための冷却手段は、熱伝導性のよい金属片であって、前記金属片を冷却する手段は、冷却器で生成された冷気を用いたものである請求項１から３のいずれか一項に記載の冷蔵庫。
【請求項５】
静電霧化装置の印加電極を冷却して結露させるための冷却手段は、熱伝導性のよい金属片であって、前記金属片を冷却する手段は、冷却器で生成された冷気が流れる風路からの熱伝導を用いるものである請求項１から４のいずれか一項に記載の冷蔵庫。
【請求項６】
静電霧化装置が取り付けられている仕切り壁は、貯蔵室側の一部に凹部があり、前記凹部に静電霧化装置の冷却手段である金属片が挿入され、冷却する請求項４または５に記載の冷蔵庫。
【請求項７】
静電霧化装置が取り付けられている仕切り壁は、風路側の一部に凹部があり、前記凹部に静電霧化装置の冷却手段である金属片が挿入され、冷却する請求項４また５に記載の冷蔵庫。
【発明の詳細な説明】
【技術分野】
【０００１】
本発明は穀物を収納する貯蔵室空間に霧化装置を設置した冷蔵庫に関するものである。
【背景技術】
【０００２】
一般的に、玄米を精米機で精米した白米の表面には若干の糠層（糊粉層）や汚れが残り、炊飯前に米研ぎする必要がある。米研ぎの作業は水を３〜５回入れ替えて洗う必要があり、強く研ぎすぎると旨み成分が洗浄水に溶出し、米が割れる恐れがあり、逆に弱すぎても、糠層を十分に洗い落とすことができず、炊飯後のご飯の味を悪くすることがある。また冬場の冷たい水で米を研ぐことを苦痛に感じることが多く、主食である反面、米を研ぐ作業を敬遠している人は多い。
【０００３】
このような実情に鑑みて、白米の表面に残った糠層（糊粉層）を米研ぎした程度に取り除く処理を加え、炊飯前に米を研ぐ必要がなく、そのまま炊飯が可能な無洗米を製造する無洗米製造装置が提供されている。
【０００４】
従来の無洗米製造装置における無洗米の製造方法としては、（１）加水仕上げ法、（２）特殊仕上げ法、（３）乾式仕上げ法があった。以下、順に説明する。
（１）加水仕上げ法
加水仕上げ法は、精米された白米に対して水による洗浄作用によって白米表面に残っている糠層を洗い流し、その直後には水分を除去すべく脱水及び、乾燥させる乾燥処理を行う方法である。この方法は水を使用して白米表面の糠層（糊粉層）を除去するため、炊飯前の米研ぎが不要になる程度の無洗米になるものの、無洗米製造過程に水を使用した洗浄を行うため、白米に余分な水分が吸収され、白米にカビが発生しやすいため特別な衛生上の管理が必要となる。また、無洗米の製造を行った後に装置内部に水によって付着した糠や白米をその都度掃除する必要もあり、メンテナンス上の負担も多い。その上、機械設備も洗浄後の脱水、乾燥用の設備や排水処理の設備が必要となり、製造設備全体が複雑な構成となって、設備全体のコストが高くなる等の問題点が多い。
（２）特殊仕上げ法
特殊仕上げ法は、精米された白米にわずかな水を加え、表面の糠を軟化させ剥離しやすい状態にした上で、特殊な糠吸着剤を混入・撹拌し、白米表面の糠層を糠吸着剤に吸着させた後、白米と糠吸着剤を分離選別して無洗米に仕上げる方法である。多量の水を必要とする加水仕上げ法とは異なり、白米に吸収される水分によってカビが発生しにくくなるため衛生上の管理がしやすいという利点がある。また、装置内部のメンテナンスも軽減される。しかしながら、糠吸着剤を事前に過熱殺菌する加熱装置や白米と糠吸着剤を分離選別する選別装置が付帯設備として必要となり、設備全体のコストが高くなる。また、糠吸着剤はリサイクルして再利用出来るものの、製造中に糠吸着効果が低下するため、その都度新しいものを定期的に補給してやる必要があり、その分、無洗米の製造コストも高くなるといった欠点がある。
（３）乾式仕上げ法
乾式仕上げ法は、精米した白米にブラシなどによる機械的除去力を作用させ、白米表面の糠層を除去する乾式の研米装置を応用して無洗米に仕上げる製造方法である。一般的にこの種の研米装置は、糠排出用の多孔部及び、研米用部材をそれぞれ具備する構成の略円筒状の除糠網と、その除糠網の内部に除糠網の軸心方向に沿う軸心周りで回転する転子とを備えて、除糠網と転子との間に形成される白米移送経路で白米を移送しながら精米で除去できなかった白米表面の糠層（糊粉層）を削り取る構造を備えている。除糠網が多孔部材だけで略円筒状に形成され、その内部で回転する転子にブラシが取り付けられている構造を持つものもある。このような乾式仕上げ法を用いた乾式無洗米製造装置としては、例えば特許文献１や特許文献２に記載されたものが知られている。
【０００５】
乾式無洗米製造装置は、前述の（１）加水仕上げ法や、（２）特殊仕上げ法と比較すると、装置全体がシンプルで製作コストも安価になる長所はある。しかしながら、加水仕上げ法や特殊仕上げ法で処理された無洗米に比較すると、乾式仕上げ法で処理された無洗米は白米表面部に付着している糠層は除去されるものの、白米表面部に存在する縦溝線（凹溝部）に入り込んでいる糠層までは完全に除去されないため、無洗米としての質が低下するという問題がある。
【０００６】
このため、特許文献１には機械内に乾式処理機が二段内蔵された実施例が、また特許文献２には三台の無洗米製造装置を直列に連座した実施例が開示されている。つまり、これらの実施例では、一度機内を通して処理された白米を再び二〜三回機械内を通し、無洗米品質レベルの向上を図っている。しかし、このような二段方式や複数台連座方式となれば機械装置も大型化し、コストも高くなる欠点がある。また、白米を二〜三回処理機械を通過させると、白米にストレスが加わるため砕米が増加し、処理中の白米温度が高温となるため、無洗米に仕上がっても、白米にそれ以外の品質の低下を生じるといった課題があった。
【特許文献１】特開２０００−４２４３０号公報
【特許文献２】特開２０００−３５４７７３号公報
【発明の開示】
【発明が解決しようとする課題】
【０００７】
以上のように、一般的な従来の無洗米製造装置における製法としては三方法あるものの、設備構成が複雑であるため設備全体が大型化し広い設置場所が要求されたり、通常洗浄した精米に比べおいしさに欠けるなどの欠点を有していた。美味しくない最大の欠点は無洗米を得るために旨み成分を含む層（亜糊粉層）まで過剰に研削除去してしまう精米操作を行っていることや、水洗浄後乾燥により無洗米を得る方法では糠を除去する際にうまみ成分が水に溶出してしまうためと考えられる。
【０００８】
本発明は、野菜等の青果物を保存している冷蔵庫内に穀物を保存した場合でも、庫内に保存するだけで精米に付着した余分な糠や汚れを簡単に落とすことができ、更に保鮮性を高めるとともに菌やカビの繁殖防止などを行うことも可能とする冷蔵庫を実現するものである。
【課題を解決するための手段】
【０００９】
上記従来の課題を解決するために、本発明の冷蔵庫は、断熱区画された貯蔵室と、貯蔵室内にミストを噴霧させる静電霧化装置を備え、霧化部には高電圧を発生する電圧印加部に電気的に接続させる印加電極と、前記印加電極を露点温度以下にするための冷却手段を構成し、前記印加電極に空気中の水分を結露させて貯蔵室にミストとして噴霧することによって穀物の汚れを除去することを可能とするものである。
【００１０】
これによって、貯蔵室内の余剰な水蒸気から容易に、確実に印加電極に結露させることができ、対向電極との間の高電圧のコロナ放電によってナノレベルの微細ミストが生成され、霧化されて噴霧された微細ミストが穀物の表面に均一に付着する。微細ミストは穀物の糠や汚れに結合し、水に浸漬させたとき糠や汚れを剥がれやすくする。また、微細ミストが付着することで穀物からの蒸散を抑制し、保鮮性を向上させた上で、発生した微細ミストには、オゾンやＯＨラジカルなどが含まれ、これらの酸化力により、野菜室内の脱臭や穀物や野菜表面を抗菌、殺菌することができると同時に、有害物質を酸化分解・除去することができる
【発明の効果】
【００１１】
本発明の冷蔵庫は、庫内に保存するだけで精米に付着した余分な糠や汚れを簡単に落とすことができ、更に保鮮性を高めるとともに菌やカビの繁殖防止などを行うことも可能とする冷蔵庫を提供することができる。
【発明を実施するための最良の形態】
【００１２】
請求項１に記載の発明は、断熱区画された貯蔵室と、貯蔵室内にミストを噴霧させる静電霧化装置を備え、霧化部には高電圧を発生する電圧印加部に電気的に接続させる印加電極と、前記印加電極を露点温度以下にするための冷却手段を構成し、前記印加電極に空気中の水分を結露させて貯蔵室にミストとして噴霧することによって穀物の汚れを除去することを可能とすることによって貯蔵室内の余剰な水蒸気から容易に、確実に印加電極に結露させることができ、対向電極との間の高電圧のコロナ放電によってナノレベルの微細ミストが生成され、霧化されて噴霧された微細ミストが穀物や青果物の表面に均一に付着し、水に浸漬させたとき糠や汚れを剥がれやすくする。また、微細ミストが付着することで穀物からの蒸散を抑制し、保鮮性を向上させることができる。また、穀物表面の細胞間隙から組織内に浸透し、細胞内に水分が供給され、穀物に適した水分量を維持できる。発生した微細ミストには、オゾンやＯＨラジカルなどが含まれ、これらの酸化力により、野菜室内の脱臭や穀物や野菜表面を抗菌、殺菌することができると同時に、有害物質を酸化分解・除去することができる。
【００１３】
請求項２に記載の発明は、貯蔵室を冷却するための冷却器と、冷却器と貯蔵室を断熱区画するための仕切り壁を備え、静電霧化装置は仕切り壁に取り付けたことにより、貯蔵室内の間隙に設置することで収納容積を減少することがなく、また、奥面に取り付けられていることで容易に人の手に触れることができないので安全性も向上する。
【００１４】
請求項３に記載の発明は、貯蔵室を区画するための仕切り壁と、貯蔵室の天面側には低温貯蔵室が備えられ、静電霧化装置は天面の仕切り壁に取り付けたことにより、冷凍室や製氷室のような冷凍温度帯の貯蔵室が上部にある場合、それらを仕切る天面の仕切り壁に設置され、その冷却源で静電霧化装置の印加電極を冷却し、結露させることができるので、特別な冷却装置が不必要で、また、天面から噴霧できるので収納容器全体に拡散しやすく、また、人の手にも触れにくいので安全性が向上させることができる。
【００１５】
請求項４に記載の発明は、冷静電霧化装置の印加電極を冷却して結露させるための冷却手段は、熱伝導性のよい金属片であって、前記金属片を冷却する手段は、冷却器で生成された冷気を用いたものであることにより、確実の印加電極を冷却することができ、また、特に新たな冷却手段を用いていないので安価に簡単に構成することができる。
【００１６】
請求項５に記載の発明は、静電霧化装置の印加電極を冷却し、結露させる冷却手段は、熱伝導性のよい金属片であって、その金属片を冷却する手段は、冷却器で生成された冷気が流れる風路からの熱伝導を用いることにより、断熱材の壁厚を調整することにより冷却ピンおよび印加電極の温度を簡単に設定することができ、また、断熱材を挟むことにより冷温冷気の漏れがないのでケース外郭などの着霜や結露などの信頼性低下を防止することができる。
【００１７】
請求項６に記載の発明は、静電霧化装置が取り付けられている仕切り壁は、貯蔵室側の一部に凹部があり、そこに静電霧化装置の冷却手段である金属片が挿入されていることにより、青果物や食品などを収納する収納量に影響することがなく、また、金属片を確実に冷やすとともに、それ以外の部分については、断熱性が確保できる壁厚が確保できるのでケース内の結露を防止することができ、信頼性を向上することができる。
【００１８】
請求項７に記載の発明は、静電霧化装置が取り付けられている仕切り壁は、風路側の一部に凹部があり、そこに静電霧化装置の冷却手段である金属片が挿入されているので、確実に金属片を冷却することができ、また、風路面積が広がることにより風路抵抗が減少、もしくは同等になるので冷却量の低下を防ぐことができる。
【００１９】
また、金属片を確実に冷やすとともに、それ以外の部分については、断熱性が確保できる壁厚が確保できるのでケース内の結露を防止することができ、信頼性を向上することができる。
【００２０】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２１】
（実施の形態１）
図１は本発明の実施の形態１における冷蔵庫の縦断面図である。図２は本発明の実施の形態１における冷蔵庫の野菜室近傍の正面図である。図３は図２のＡ−Ａ部の静電霧化装置近傍の詳細断面図である。
【００２２】
図において、冷蔵庫１００の断熱箱体１０１は主に鋼板を用いた外箱１０２とＡＢＳなどの樹脂で成型された内箱１０３で構成され、その内部には例えば硬質発泡ウレタンなどの発泡断熱材が充填、周囲と断熱され、複数の貯蔵室に区分されている。最上部に第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に第二の貯蔵室としての野菜室１０７、そして最下部に第三の貯蔵室としての冷凍室１０８が配置される構成となっている。
【００２３】
冷蔵室１０４は冷蔵保存のために凍らない温度を下限に通常１℃〜５℃とし、野菜室１０７は冷蔵室１０４と同等もしくは若干高い温度設定の２℃〜７℃としている。冷凍室１０８は冷凍温度帯に設定されており、冷凍保存のために通常−２２℃〜−１５℃で設定されているが、冷凍保存状態の向上のために、例えば−３０℃や−２５℃の低温で設定されることもある。切換室１０５は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。切換室１０５は製氷室１０６に並設された独立扉を備えた貯蔵室であり、引き出し式の扉を備えることが多い。なお、本実施の形態では切換室１０５を冷蔵，冷凍の温度帯までを含めた貯蔵室としているが、冷蔵は冷蔵室１０４，野菜室１０７、冷凍は冷凍室１０８に委ねて、冷蔵と冷凍の中間の上記温度帯のみの切換えに特化した貯蔵室としても構わない。また、特定の温度帯に固定された貯蔵室でもかまわない。製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵する。
【００２４】
断熱箱体１０１の天面部は冷蔵庫の背面方向に向かって階段状に凹みを設けた形状であり、この階段状の凹部に機械室１０１ａを形成して圧縮機１０９、水分除去を行うドライヤ（図示せず）等の冷凍サイクルの高圧側構成部品が収容されている。すなわち、圧縮機１０９を配設する機械室は、冷蔵室１０４内の最上部の後方領域に食い込んで形成されることになる。手が届きにくくデッドスペースとなっていた断熱箱体１０１の最上部の貯蔵室後方領域に機械室を設けて圧縮機１０９を配置することにより、従来の冷蔵庫で、使用者が使いやすい断熱箱体１０１の最下部にあった機械室のスペースを貯蔵室容量として有効に転化することができ、収納性や使い勝手を大きく改善することができる。なお、本実施の形態における、以下に述べる発明の要部に関する事項は、従来一般的であった断熱箱体１０１の最下部の貯蔵室後方領域に機械室を設けて圧縮機１０９を配置するタイプの冷蔵庫に適用しても構わない。
【００２５】
野菜室１０７と冷凍室１０８の背面には冷気を生成する冷却室１１０が設けられ、その間には、断熱性を有する各室への冷気の搬送風路と、各室と断熱区画するために構成された奥面仕切り壁１１１が構成されている。冷却室１１０内には、冷却器１１２が配設されており、冷却器１１２の上部空間には強制対流方式により冷却器１１２で冷却した冷気を冷蔵室１０４、切換室１０５、製氷室１０６、野菜室１０７、冷凍室１０８に送風する冷却ファン１１３が配置され、冷却器１１２の下部空間には冷却時に冷却器１１２やその周辺に付着する霜や氷を除霜するためのガラス管製のラジアントヒータ１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００２６】
野菜室１０７には、野菜室１０７の引き出し扉１１８に取り付けられたフレームに載置された下段収納容器１１９と、下段収納容器１１９に載置された上段収納容器１２０が配置されている。
【００２７】
引き出し扉１１８が閉ざされた状態で主に上段収納容器１２０を略密閉するための蓋体１２２が野菜室上部の第一の仕切壁１２３及び内箱１０３に保持されている。引き出し扉１１８が閉ざされた状態で蓋体１２２と上段収納容器１２０の上面の左右辺、奥辺が密接し、上面の前辺は略密接している。さらに、上段収納容器１２０の背面の左右下辺と下段収納容器１１９の境界部は、上段収納容器１２０が稼働する上で接触しない範囲で食品収納部の湿気が逃げないよう隙を詰めている。
【００２８】
蓋体１２２と第一の仕切り壁１２３の間には、奥面仕切り壁１１１に構成された野菜室用吐出口１２４から吐出された冷気の風路が設けられている。また、下段収納容器１１９と第二の仕切り壁１２５との間にも空間が設けられ冷気風路を構成している。野菜室１０７の背面の奥面仕切り壁１１１の下部には、野菜室１０７内を冷却し熱交換された冷気が冷却器１１２に戻るための野菜室用吸込み口１２６が設けられている。
【００２９】
なお、本実施の形態における、以下に述べる発明の要部に関する事項は、従来一般的であった扉に取り付けられたフレームと内箱に設けられたレールにより開閉するタイプの冷蔵庫に適用しても構わない。
【００３０】
奥面仕切り壁１１１は、ＡＢＳなどの樹脂で構成された奥面仕切り部表面１５１と風路や冷却室１１０を隔離、断熱性を確保するための発泡スチロールなどで構成された断熱材１５２で構成されている。ここで、奥面仕切り壁１１１の貯蔵室内側の壁面の一部に他の箇所より低温になるように凹部を設け、その箇所に静電霧化装置１３１が設置されている。
【００３１】
静電霧化装置１３１は主に霧化部１３９、電圧印加部１３３、外郭ケース１３７で構成され、外郭ケース１３７の一部には、噴霧口１３２と湿度供給口１３８が構成されている。霧化部１３９は、霧化電極である印加電極１３５が設置され、印加電極１３５はアルミニウムやステンレスなどの良熱伝導部材である冷却ピン１３４に固定されている。
【００３２】
冷却ピン１３４が外郭ケース１３７に固定され、冷却ピン１３４自体は外郭から突起して構成されている。また、印加電極１３５に対向している位置で貯蔵室側にドーナツ円盤状の対向電極１３６が、印加電極１３５の先端と一定距離を保つように取付けられ、その延長上に噴霧口１３２が構成されている。
【００３３】
さらに、霧化部１３９の近傍に電圧印加部１３３が構成され、高電圧を発生する電圧印加部１３３の負電位側が印加電極１３５と、正電位側が対向電極１３６とそれぞれ電気的に接続されている。
【００３４】
電圧印加部１３３は、冷蔵庫本体の制御手段１４６と通信、制御され、冷蔵庫１００もしくは静電霧化装置１３１からの入力信号で高圧のＯＮ／ＯＦＦを行う。
【００３５】
なお、静電霧化装置１３１を固定している奥面仕切り壁表面１５１には、貯蔵室の温度調節をする、もしくは表面の結露を防止するためヒータ等の加熱手段１５４が奥面仕切り壁表面１５１と断熱材１５２の間に設置されている。
【００３６】
以上のように構成された冷蔵庫について、以下その動作、作用を説明する。
【００３７】
まず、冷凍サイクルの動作について説明する。庫内の設定された温度に応じて制御基板（図示せず）からの信号により冷凍サイクルが動作して冷却運転が行われる。圧縮機１０９の動作により吐出された高温高圧の冷媒は、凝縮器（図示せず）である程度凝縮液化し、さらに冷蔵庫本体の側面や背面、また冷蔵庫本体の前面間口に配設された冷媒配管（図示せず）などを経由し冷蔵庫本体の結露を防止しながら凝縮液化し、キャピラリーチューブ（図示せず）に至る。その後、キャピラリーチューブでは圧縮機１０９への吸入管（図示せず）と熱交換しながら減圧されて低温低圧の液冷媒となって冷却器１１２に至る。ここで、低温低圧の液冷媒は、冷却ファン１１３の動作により搬送する冷凍室吐出風路１１４１などの各貯蔵室内の空気と熱交換され、冷却器１１２内の冷媒は蒸発気化する。この時、冷却室内で各貯蔵室を冷却するための冷気を生成する。低温の冷気は冷却ファン１１３から冷蔵室１０４、切替室１０５、製氷室１０６、野菜室１０７、冷凍室１０８に冷気を風路やダンパを用いて分流させ、それぞれの目的温度帯に冷却する。特に、野菜室１０７は、冷気の配分や加熱手段（図示せず）などのＯＮ／ＯＦＦ運転により２℃から７℃になるように調整され、一般的には庫内温度検知手段をもたないものが多い。
【００３８】
野菜室１０７は、冷蔵室１０４を冷却した後、その空気を冷却器１１２に循環させるための冷蔵室戻り風路１４０の途中に構成された野菜室用吐出口１２４から野菜室１０７に吐出し、上段収納容器１２０や下段収納容器１１９の外周に流し間接的に冷却し、その後、野菜室用吸込み口１２６から再び冷却器１１２に戻る。
【００３９】
奥面仕切り壁１１１の比較的高湿度環境である箇所の一部について、断熱材１５２が、他の箇所より壁厚が薄く、特に、冷却ピン１３４の後方の断熱材の厚みは例えば２ｍｍ〜１０ｍｍ程度で構成されている。これにより、奥面仕切り壁１１１は凹部が構成され、この箇所に静電霧化装置１３１が取り付けられている。
【００４０】
冷却ピン背面にある冷凍室吐出風路１４１には、冷却システムの運転により冷却器１１２で生成し、冷却ファン１１３により−１５〜−２５℃程度の冷気が流れ、風路表面からの熱伝導で冷却ピン１３４が例えば０〜―６℃程度に冷却される。このとき、冷却ピン１３４は、良熱伝導部材であるため、冷熱を非常に伝えやすく、印加電極も０〜―６℃程度に冷却される。
【００４１】
ここで、野菜室は２℃から７℃で、かつ穀物や野菜などからの蒸散により比較的高湿状態であるので、印加電極１３５は露点温度以下となり、先端を含め、印加電極１３５には水が生成、付着する。
【００４２】
水滴が付着した印加電極１３５に負電圧、対向電極１３６を正電圧側として、電圧印加部１３３によりこの電極間に高電圧（例えば４〜１０ｋＶ）を印加させる。このとき電極間でコロナ放電が起こり、印加電極１３５の先端の水滴が、静電エネルギにより微細化され、さらに液滴が帯電しているためレイリー分裂により数ｎｍレベルの目視できない電荷をもったナノレベルの微細ミストと、それに付随してオゾンやＯＨラジカルなどが発生する。電極間に印加する電圧は、４〜１０ｋＶと非常に高電圧であるが、そのときの放電電流値は数μＡレベルであり、入力としては０．５〜１．５Ｗと非常に低入力である。
【００４３】
印加電極１３５から微細ミストが噴霧されるとき、イオン風が発生する。このとき、湿度供給口１３８より、新たに高湿な空気が印加電極部に流入するため、連続して噴霧することができる。
【００４４】
発生した微細ミストは、下段収納容器１１９内に噴霧されるが非常に小さい微粒子のため拡散性が強く、上段収納容器１２０にも微細ミストは到達する。噴霧される微細ミストは、高圧放電で生成されたため、マイナスの電荷を帯びている。野菜室１０７内には穀物や青果物である野菜の中でも緑の菜っ葉ものや果物等も保存されており、これらの穀物や青果物は蒸散あるいは保存中の蒸散によって水分が減少しやすいものである。野菜室内に保存されている野菜や果物の中には、通常、購入帰路時での蒸散あるいは保存中の蒸散によってやや水分が減少した状態のものが含まれており、プラスの電荷をもつ。よって、霧化されたミストは、穀物や野菜の表面に集まりやすく、これにより保鮮性が向上する。さらに穀物の表面に付着している糠や汚れがミストと接触することで穀物を水に浸したとき、糠や汚れが水分子に浸透しやすく、１回浸漬しただけで簡単に洗い流すことができる。
【００４５】
また、穀物や野菜表面に付着したナノレベルの微細ミストは、ＯＨラジカルと微量ではあるがオゾンなどを多く含んでおり、殺菌、抗菌、除菌などに効果がある他、酸化分解による農薬除去や野菜に関しては抗酸化によるビタミンＣ量などの栄養素の増加を野菜に促す。
【００４６】
ここで、印加電極１３５に水がないときは、放電距離が離れ、空気の絶縁層を破壊することができず、放電現象がおこらない。これにより印加電極と対向電極間に電流がながれない。この現象を冷蔵庫１００の制御手段１４６で検知することにより電圧印加部１３３の高圧をＯＮ／ＯＦＦすることもできる。
【００４７】
以上のように、本実施の形態１においては、断熱区画された貯蔵室と、貯蔵室内にミストを噴霧させる静電霧化装置を備え、霧化部には高電圧を発生する電圧印加部に電気的に接続させる印加電極と、印加電極に対向する位置に配された対向電極と、印加電極を露点温度以下にするための冷却手段を構成し、印加電極に空気中の水分を結露させて貯蔵室にミストとして噴霧することにより、貯蔵室内の余剰な水蒸気から容易に、確実に印加電極に結露させることができ、対向電極との間の高電圧のコロナ放電によってナノレベルの微細ミストが生成され、霧化されて噴霧された微細ミストが穀物や青果物の表面に均一に付着し、穀物や青果物からの蒸散を抑制し、保鮮性を向上させたり、穀物の表面の糠や汚れが浸漬した水に浸透しやすくなり、１回浸漬させただけで簡単に糠や汚れを洗い流すことができる。また、青果物表面の細胞間隙や気孔等から、組織内に浸透し、萎んだ細胞内に水分が供給され、シャキッとした状態に復帰させることができる。
【００４８】
また、ミスト発生時に同時に発生するオゾンやＯＨラジカルにより脱臭、食品表面の有害物質除去、防汚などの効果を高めることができる。
【００４９】
また、噴霧されたミストは直接、野菜容器内の食品に噴霧することができ、ミストと穀物や野菜の電位を利用して穀物や野菜表面にミストを付着させることができるので、保鮮の効率がよい。
【００５０】
さらに、印加電極に貯蔵室内の余剰な水蒸気を結露させ、水滴を付着させ、ミストを噴霧することから貯水タンクなどが不要であり、また、ポンプやキャピラリなどの送水手段も使用していないので、安価に構成することが可能となる。
【００５１】
さらに、水道水ではなく結露水を用いるためミネラル成分や不純物がないため、保水材を用いたときの劣化や目詰まりによる保水性の劣化を防ぐことができる。
【００５２】
さらに、超音波振動による超音波霧化ではないので、貯水タンクが不必要であり、また、入力も小さいので庫内の温度影響が少ない。
【００５３】
さらに、電圧印加部が収納されている部分についても奥面仕切り壁に埋め込まれて、冷却されているので基板の温度上昇を抑えることができる。これにより、貯蔵室内の温度影響を少なくすることができる。
【００５４】
また、本実施の形態では、各貯蔵室を冷却するための冷却器と、冷却器と貯蔵室を断熱区画するための仕切り壁を備え、静電霧化装置は仕切り壁に取り付けたことにより、貯蔵室内の間隙に設置することで収納容積を減少することがなく、また、奥面に取り付けられていることで容易に人の手に触れることができないので安全性も向上する。
【００５５】
また、本実施の形態では、静電霧化装置の印加電極を冷却し、結露させる冷却手段は、熱伝導性のよい金属片であって、その金属片を冷却する手段は、冷却器で生成された冷気が流れる風路からの熱伝導を用いることにより、断熱材の壁厚を調整することにより冷却ピンおよび印加電極の温度を簡単に設定することができ、また、断熱材を挟むことにより冷温冷気の漏れがないのでケース外郭などの着霜や結露などの信頼性低下を防止することができる。
【００５６】
また、本実施の形態では、静電霧化装置が取り付けられている仕切り壁は、貯蔵室側の一部に凹部があり、そこに静電霧化装置の冷却手段である金属片が挿入されていることにより、青果物や食品などを収納する収納量に影響することがなく、また、金属片を確実に冷やすとともに、それ以外の部分については、断熱性が確保できる壁厚が確保できるのでケース内の結露を防止することができ、信頼性を向上することができる。
【００５７】
なお、微細ミスト発生時にオゾンも発生する。静電霧化装置のＯＮ・ＯＦＦ運転により、貯蔵室内のオゾン濃度を調整することが出来る。オゾン濃度を適度に調整することにより、オゾン過多による野菜の黄化などの劣化を防止し、かつ、穀物や野菜表面の殺菌、抗菌作用を高めることが出来る。
【００５８】
なお、本実施の形態では、冷却ピンを冷却するための風路は、冷凍室吐出風路としたが、製氷室の吐出風路や、冷凍室戻り風路などの低温風路でもかまわない。これにより、静電霧化装置の設置可能場所が拡大する。
【００５９】
なお、本実施の形態では、静電霧化装置の印加電極周囲には、保水材を設けなかったが、保水材が配設してもよい。これにより、印加電極近傍で生成された結露水を印加電極周囲に保持することができるので印加電極に適時に供給することができる。
【００６０】
なお、本実施の形態において、冷蔵庫の貯蔵室は野菜室としたが、冷蔵室や切替室などの他の温度帯の貯蔵室でもよく、この場合、様々な用途に展開が可能となる。
【００６１】
（実施の形態２）
図４は本発明の実施の形態２における図２のＡ−Ａ部の静電霧化装置近傍の詳細断面図である。
【００６２】
図において、奥面仕切り壁１１１は、ＡＢＳなどの樹脂で構成された奥面仕切り部表面１５１と風路や冷却室１１０を隔離、断熱性を確保するための発泡スチロールなどで構成された断熱材１５２で構成されている。ここで、奥面仕切り壁１１１の貯蔵室内側の壁面の一部に他の箇所より低温になるように凹部を設け、さらに冷却ピン１３４部の設置場所をさらに凹部にした箇所に静電霧化装置１３１が設置されている。
【００６３】
このとき、冷却ピン１３４の一部は断熱材を貫通し、低温風路の一部に露出している。また、低温風路は、冷却ピン背面近傍で凸部、つまり断熱材凹部１５５が構成されており、風路が一部拡大している。
【００６４】
以上のように構成された冷蔵庫について、以下その動作、作用を説明する。
【００６５】
奥面仕切り壁１１１の比較的高湿度環境である箇所の一部について、断熱材１５２が、他の箇所より壁厚が薄く、特に、冷却ピン１３４の後方の断熱材の厚みは例えば２ｍｍ〜１０ｍｍ程度で構成されている。これにより、奥面仕切り壁１１１は凹部が構成され、この箇所に静電霧化装置１３１が取り付けられている。
【００６６】
冷却ピン１３４は背面にある低温風路１５６に一部が露出している。冷却システムの運転により冷却器１１２で生成し、冷却ファン１１３により野菜室温度より低温の冷気が流れ、冷却ピン１３４が例えば０〜―６℃程度に冷却される。このとき、冷却ピン１３４は、良熱伝導部材であるため、冷熱を非常に伝えやすく、印加電極１３５も０〜―６℃程度に冷却される。
【００６７】
このとき、低温風路１５６の断熱材凹部近傍が拡大されるので風路抵抗が下がるので冷却ファン１１３の風量が増加し、冷却システム効率が向上する。
【００６８】
水滴が付着した印加電極１３５に負電圧、対向電極１３６を正電圧側として、電圧印加部１３３によりこの電極間に高電圧（例えば４〜１０ｋＶ）を印加させる。このとき電極間でコロナ放電が起こり、印加電極１３５の先端の水滴が、静電エネルギにより微細化され、さらに液滴が帯電しているためレイリー分裂により数ｎｍレベルの目視できない電荷をもったナノレベルの微細ミストと、それに付随してオゾンやＯＨラジカルなどが発生する。電極間に印加する電圧は、４〜１０ｋＶと非常に高電圧であるが、そのときの放電電流値は数μＡレベルであり、入力としては０．５〜１．５Ｗと非常に低入力である。
【００６９】
発生した微細ミストは、下段収納容器１１９内に噴霧されるが非常に小さい微粒子のため拡散性が強く、上段収納容器１２０にも微細ミストは到達する。噴霧される微細ミストは、高圧放電で生成されたため、マイナスの電荷を帯びている。野菜室１０７内には穀物や青果物である野菜の中でも緑の菜っ葉ものや果物等も保存されており、これらの穀物や青果物は蒸散あるいは保存中の蒸散によって水分が減少しやすいものである。野菜室内に保存されている穀物や野菜や果物の中には、通常、購入帰路時での蒸散あるいは保存中の蒸散によってやや水分の減少しかけた状態のものが含まれており、プラスの電荷をもつ。よって、霧化されたミストは、穀物や野菜の表面に集まりやすく、これにより保鮮性が向上する。さらに穀物の表面に付着している糠や汚れがミストと接触することで穀物を水に浸したとき、糠や汚れが水分子に浸透しやすく、１回浸漬しただけで簡単に洗い流すことができる。
【００７０】
また、穀物や野菜表面に付着したナノレベルの微細ミストは、ＯＨラジカルと微量ではあるがオゾンなどを多く含んでおり、殺菌、抗菌、除菌などに効果がある他、酸化分解による農薬除去や野菜に関しては抗酸化によるビタミンＣ量などの栄養素の増加を促す。
【００７１】
以上のように、本実施の形態２においては、冷却器と貯蔵室を断熱区画するための仕切り壁には、貯蔵室もしくは冷却器に冷気を搬送するための少なくとも１つの風路と、貯蔵室や他の風路と熱影響がないよう断熱された断熱材が備えられ、静電霧化装置の印加電極を冷却し、結露させる冷却手段は、熱伝導性のよい金属片であって、その金属片を冷却する手段は、冷却器で生成された冷気を用いることにより、確実の印加電極を冷却することができ、また、特に新たな冷却手段を用いていないので安価に簡単に構成することができる。
【００７２】
また、本実施の形態では、静電霧化装置が取り付けられている仕切り壁は、風路側の一部に凹部があり、そこに静電霧化装置の冷却手段である金属片が挿入されているので、確実に金属片を冷却することができ、また、風路面積が広がることにより風路抵抗が減少、もしくは同等になるので冷却量の低下を防ぐことができる。また、冷却ピンの風路への露出表面積で印加電極の温度を容易に調整することができる。
【００７３】
（実施の形態３）
図５は本発明の実施の形態３における冷蔵庫の野菜室近傍の断面図である。
【００７４】
図に示すように、野菜室１０７と製氷室１０６の温度帯を区切るために断熱性を確保した第１の仕切り壁１２３に静電霧化装置１３１は、組み込まれており、特に霧化部である冷却ピン１３４部については、その断熱材が凹形状になっている。
【００７５】
以上のように構成された冷蔵庫について、以下その動作・作用を説明する。
【００７６】
静電霧化装置１３１が設置されている第１の仕切り壁１２３の厚さは、印加電極１３５が固定されている冷却ピン１３４を冷却するための冷却能力が必要であり、静電霧化装置１３１が備えられている箇所の壁厚は他の部分より薄く構成されている。そのため、比較的低温である製氷室からの熱伝導により冷却ピン１３４を冷却し、印加電極１３５を冷却することが出来る。ここで、印加電極１３５の先端温度を露点温度以下にすれば、印加電極１３５近傍の水蒸気は印加電極１３５に結露し、水滴が確実に生成される。
【００７７】
ここでは図示しないが庫内に庫内温度検知部や庫内湿度検知部などを設置することにより、あらかじめ決められた演算により厳密に庫内環境下の変化に応じて露点温度を割り出すことが出来る。
【００７８】
この状態で印加電極１３５を負電圧側とし、対向電極１３６を正電圧側として、電圧印加部１３３によりこの電極間に高電圧（例えば７．５ｋＶ）を印加させる。このとき、電極間で空気絶縁層が破壊されコロナ放電が起こり、印加電極１３５の水が電極先端から霧化し、目視できない１μｍ未満の電荷をもったナノレベルの微細ミストと、それに付随するオゾンやＯＨラジカルなどが発生する。
【００７９】
発生した微細ミストは、野菜容器内に噴霧される。静電霧化装置１３１から噴霧される微細ミストは、マイナスの電荷を帯びている。一方、野菜室内には穀物や青果物である野菜の中でも緑の菜っ葉ものや果物等も保存されており、これらの穀物や青果物は蒸散あるいは保存中の蒸散によって水分が減少しやすいものである。野菜室内に保存されている穀物や野菜や果物の中には、通常、購入帰路時での蒸散あるいは保存中の蒸散によってやや水分の減少しかけた状態のものが含まれており、プラスの電荷をもつ。よって、霧化されたミストは、穀物や野菜の表面に集まりやすく、これにより保鮮性が向上する。さらに穀物の表面に付着している糠や汚れがミストと接触することで穀物を水に浸したとき、糠や汚れが水分子に浸透しやすく、１回浸漬しただけで簡単に洗い流すことができる。
【００８０】
また、発生した微細ミストは、オゾンやＯＨラジカルなどを保持しており、これらは強い酸化力を保持する。そのため、発生した微細ミストが野菜室内の脱臭や穀物や野菜表面を抗菌、殺菌することが出来ると同時に、穀物や野菜表面に付着する農薬やワックスなどの有害物質を酸化分解・除去することが出来る。
【００８１】
現在、冷凍サイクルの冷媒としては、地球環境保全の観点から地球温暖化係数が小さい可燃性冷媒であるイソブタンが使用されているものが主流になっている。
【００８２】
この、炭化水素であるイソブタンは空気と比較して常温、大気圧下で約２倍の比重である（２．０４、３００Ｋにおいて）。
【００８３】
仮に、圧縮機の停止時に冷凍システムから可燃性冷媒であるイソブタンが漏洩した場合には、空気よりも重いので、下方に漏洩することになる。このとき、奥面の仕切り壁１１１より、庫内へ冷媒が漏洩する可能性がある。特に、冷媒の滞留量が多い冷却器１１２から漏洩する場合には、漏洩量が多くなる可能性があるが、静電霧化装置１３１を具備する野菜室１０７は、冷却器１１２より上方に設置されているため、漏洩しても野菜室には漏洩することがない。
【００８４】
また、仮に野菜室１０７に漏洩したとしても、冷媒は空気より重いため貯蔵室下部に滞留する。よって、静電霧化装置１３１が貯蔵室天面に設置されているため、静電霧化装置１３１付近が可燃濃度になることは極めて低い。
【００８５】
以上のように、本実施の形態３は、貯蔵室を区画するための仕切り壁と、貯蔵室の天面側には低温貯蔵室が備えられ、静電霧化装置は天面の仕切り壁に取り付けたことにより、冷凍室や製氷室のような冷凍温度帯の貯蔵室が上部にある場合、それらを仕切る天面の仕切り壁に設置され、その冷却源で静電霧化装置の印加電極を冷却し、結露させることができるので、特別な冷却装置が不必要で、また、天面から噴霧できるので収納容器全体に拡散しやすく、また、人の手にも触れにくいので安全性が向上させることができる。
【００８６】
また、本実施の形態の霧化部は静電霧化方式によってミストを生成するものであり、高電圧等の電気エネルギを使って水滴を分裂させ、細分化することによって微細ミストを発生させる。発生したミストは電荷を帯びている為、そのミストに穀物や野菜や果物等の付着させたい物と逆の電荷を持たすことによって、例えばプラスの電荷を持つ穀物や野菜に対してマイナスの電荷を帯びたミストを噴霧することにより、穀物や野菜や果物への付着力が向上するため、より均一に穀物や野菜表面にミストが付着するとともに、電荷を帯びていないタイプのミストと比較してミストの付着率をより向上させることが出来る。また、噴霧された微細ミストは直接、野菜容器内の食品に噴霧することができ、微細ミストと穀物や野菜の電位を利用して穀物や野菜表面に微細ミストを付着させることが出来るので、保鮮性を効率よく向上させることが出来る。さらに穀物の表面に付着している糠や汚れがミストと接触することで穀物を水に浸したとき、糠や汚れが水分子に浸透しやすく、１回浸漬しただけで簡単に洗い流すことができる。
【００８７】
さらに、本実施の形態の補給水は、外部から供給する水道水ではなく結露水を用いる。そのためミネラル成分や不純物がなく、印加電極先端の劣化や目詰まりによる保水性の劣化を防ぐことが出来る。
【００８８】
さらに、本実施の形態のミストはラジカルを含んでいることにより穀物や野菜表面に付着する農薬やワックスなどを極めて少ない水量で分解・除去出来るので節水ができ、かつ低入力化が出来る。
【００８９】
また、静電霧化装置を蒸発器より上方に配置していることから、イソブタンやプロパンなどの可燃性冷媒を用いて冷凍サイクルを構成した場合であって、かつ、冷媒が漏洩した場合も、空気より重いため冷媒が野菜室に充満することはないので安全である。
【００９０】
また、野菜室内においても静電霧化部を貯蔵室の上方に設置しているので、冷媒が漏洩しても、貯蔵室の下部に滞留するので着火することはない。
【００９１】
なお、貯蔵室内は冷媒配管等に直接面している部分がないので、冷媒が漏洩することはない。よって、可燃性冷媒に着火することはない。
【産業上の利用可能性】
【００９２】
以上のように、本発明にかかる冷蔵庫は、家庭用又は業務用冷蔵庫もしくは穀物専用庫、野菜専用庫に対して実施することはもちろん、野菜などの食品低温流通、倉庫などの用途にも適用できる。
【図面の簡単な説明】
【００９３】
【図１】本発明の実施の形態１における冷蔵庫の縦断面図
【図２】本発明の実施の形態１における冷蔵庫の野菜室近傍の正面図
【図３】本発明の実施の形態１における図２のＡ−Ａ部の静電霧化装置近傍の詳細断面図
【図４】本発明の実施の形態２における図２のＡ−Ａ部の静電霧化装置近傍の詳細断面図
【図５】本発明の実施の形態３における冷蔵庫の野菜室近傍の断面図
【符号の説明】
【００９４】
１００  冷蔵庫
１０１  断熱箱体
１０２  外箱
１０３  内箱
１０４  冷蔵室
１０５  切替室
１０６  製氷室
１０７  野菜室
１０８  冷凍室
１０９  圧縮機
１１０  冷却室
１１１  奥面仕切り壁
１１２  冷却器
１１３  冷却ファン
１１４  ラジアントヒータ
１１５  ドレンパン
１１６  ドレンチューブ
１１７  蒸発皿
１１８  扉
１１９  下段収納容器
１２０  上段収納容器
１２２  蓋体
１２３  第１の仕切り壁
１２４  野菜室用吐出口
１２５  第２の仕切り壁
１２６  野菜室用吸込口
１３１  静電霧化装置
１３２  噴霧口
１３３  電圧印加部
１３４  冷却ピン
１３５  印加電極
１３６  対向電極
１３７  外郭ケース
１３８  湿度供給口
１３９  霧化部
１４０  冷蔵室戻り風路
１４１  冷凍室吐出風路
１４６  制御手段
１５１  奥面仕切り壁表面
１５２  断熱材
１５４  加熱手段
１５５  断熱材凹部
１５６  低温風路
【図１】
2010091232.tif 000003
【図２】
2010091232.tif 000004
【図３】
2010091232.tif 000005
【図４】
2010091232.tif 000006
【図５】
2010091232.tif 000007